(57)【要約】【課題】  略直方体箱状のケーシングの内部が鉛直に延びる仕切板により送風機室と機械室とに分割された構造を有する空気調和装置の室外ユニットにおいて、電装品ユニットが大型化される場合であっても、機械室内に配置された冷媒回路構成部品のメンテナンス性を損なうことなく、電装品ユニットを機械室内に配置できるようにする。【解決手段】  室外ユニット１の電装品ユニット５は、ユニットケーシング２の内部が鉛直に延びる仕切板２５により送風機室Ｓ1と機械室Ｓ2とに分割された構造を有しており、機械室Ｓ2内に配置された上部電装品ユニット５１及び下部電装品ユニット５２を備えている。下部電装品ユニット５２は、機械室Ｓ2内に上部電装品ユニット５１が配置された状態において、少なくとも一部が機械室Ｓ2内から機械室Ｓ2外に移動可能である。【選択図】      図５
2005076925.tif 000002
【特許請求の範囲】
【請求項１】
略直方体箱状のケーシング（２）の内部が鉛直に延びる仕切板（２５）により送風機室（Ｓ1）と機械室（Ｓ2）とに分割された構造を有する空気調和装置の室外ユニット（１）において、前記機械室に配置された室外ユニットの電装品ユニット（５）であって、
前記機械室内に配置された第１電装品ユニット（５１）と、
前記機械室内に配置され、前記機械室内に前記第１電装品ユニットが配置された状態において、少なくとも一部が前記機械室内から前記機械室外に移動可能な第２電装品ユニット（５２）と、
を備えた室外ユニットの電装品ユニット（５）。
【請求項２】
前記第２電装品ユニット（５２）は、前記ケーシング（２）の前面又は側面の内側に沿うように配置されている、請求項１に記載の室外ユニットの電装品ユニット（５）。
【請求項３】
前記第２電装品ユニット（５２）は、前記ケーシング（２）の外側を向くように縦向きに配置された制御Ｐ板を含んでいる、請求項２に記載の室外ユニットの電装品ユニット（５）。
【請求項４】
前記第２電装品ユニット（５２）は、前記機械室（Ｓ2）の外側に向けて扉状に開閉させることが可能である、請求項２又は３に記載の室外ユニットの電装品ユニット（５）。
【請求項５】
前記第１電装品ユニット（５１）は、前記機械室（Ｓ2）の上部に配置されている、請求項１〜４のいずれかに記載の室外ユニットの電装品ユニット（５）。
【請求項６】
前記第２電装品ユニット（５２）は、前記第１電装品ユニット（５１）の下側に配置されている、請求項５に記載の室外ユニットの電装品ユニット（５）。
【請求項７】
前記第１電装品ユニット（５１）は、少なくとも一部が前記仕切板（２５）に沿って配置されており、前記送風機室（Ｓ1）内に突出する放熱フィン（５１ｄ）を有している、請求項１〜６のいずれかに記載の室外ユニットの電装品ユニット（５）。
【請求項８】
前記第２電装品ユニット（５２）は、前記第１電装品ユニット（５１）よりも重量が小さい、請求項１〜７のいずれかに記載の室外ユニットの電装品ユニット（５）。
【請求項９】
略直方体箱状のケーシング（２）の内部が鉛直に延びる仕切板（２５）により送風機室（Ｓ1）と機械室（Ｓ2）とに分割された構造を有する空気調和装置の室外ユニット（１）であって、
前記機械室に配置された冷媒回路構成部品（３）と、
前記機械室に配置された請求項１〜８のいずれかに記載の室外ユニットの電装品ユニット（５）と、
を備えた空気調和装置の室外ユニット（１）。
【発明の詳細な説明】
【技術分野】
【０００１】
本発明は、室外ユニットの電装品ユニット及びそれを備えた空気調和装置の室外ユニット、特に、略直方体箱状のケーシングの内部が鉛直に延びる仕切板により送風機室と機械室とに分割された構造を有する空気調和装置の室外ユニットにおいて、機械室に配置された室外ユニットの電装品ユニット及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造（トランク型構造）を有するものがある。送風機室には、主に、室外熱交換器及び室外ファンが配置されている。機械室には、主に、圧縮機、アキュムレータやレシーバ等の液冷媒を溜めることが可能な液溜容器、弁類や冷媒配管等から構成される冷媒回路構成部品と電装品ユニットとが配置されている。通常、冷媒回路構成部品は機械室の上下方向の中間部から下部の空間に配置されており、電装品ユニットは機械室の上部の空間に配置されている。このような室外ユニットは、通常、１台の室内ユニットに冷媒連絡配管を介して接続されている。
【０００３】
ところで、このような室外ユニットを複数の室内ユニットに接続することによりマルチ式の空気調和装置として使用する場合には、液溜容器の容量を大きくしたり、冷媒回路を複雑なものにしなければならない。このため、機械室内において冷媒回路構成部品が占める空間容積が大きくなり、電装品ユニットを配置可能な場所が狭くなってしまう。しかも、室外ユニットをマルチ式の空気調和装置として使用するためには、電装品ユニットを構成する制御Ｐ板等に新たな制御機能や伝送機能を追加しなければならなくなるため、電装品ユニット自体も大型化することになり、機械室内において、冷媒回路構成部品と電装品ユニットとが上下方向に干渉するのを避けて配置することが困難になる。これにより、冷媒回路構成部品のメンテナンス性が損なわれてしまう。
【０００４】
一方、上面吹き出し型構造の室外ユニットに用いられる電装品箱として、冷媒回路構成部品と電装品ユニットとを仕切るように配置するとともに、電装品ユニットの一部を開閉可能にすることによって全体を奥行きの深い形状を有する構造にすることが開示されている（例えば、特許文献１参照。）。しかし、トランク型構造の室外ユニットの場合には、上面吹き出し型構造の室外ユニットに比べて奥行きスペースが小さいため、奥行きの深い形状を有する電装品ユニットを配置することが困難である。
【特許文献１】特公平７−６５７８４号公報
【発明の開示】
【発明が解決しようとする課題】
【０００５】
本発明の課題は、略直方体箱状のケーシングの内部が鉛直に延びる仕切板により送風機室と機械室とに分割された構造を有する空気調和装置の室外ユニットにおいて、電装品ユニットが大型化される場合であっても、機械室内に配置された冷媒回路構成部品のメンテナンス性を損なうことなく、電装品ユニットを機械室内に配置することができるようにすることにある。
【課題を解決するための手段】
【０００６】
請求項１に記載の室外ユニットの電装品ユニットは、略直方体箱状のケーシングの内部が鉛直に延びる仕切板により送風機室と機械室とに分割された構造を有する空気調和装置の室外ユニットにおいて、機械室に配置された室外ユニットの電装品ユニットであって、機械室内に配置された第１電装品ユニットと、機械室内に配置された第２電装品ユニットとを備えている。第２電装品ユニットは、機械室内に第１電装品ユニットが配置された状態において、少なくとも一部が機械室内から機械室外に移動可能である。
【０００７】
この室外ユニットの電装品ユニットでは、第１電装品ユニットと第２電装品ユニットとの分割構造にすることによって、電装品ユニットが大型化される場合においても、機械室内の空間を有効に利用して機械室に配置できるようにし、さらに、第２電装品ユニットのみを機械室内から機械室外に移動させることができるようにすることで、機械室内において第２電装品ユニットの近傍に配置された冷媒回路構成部品にアクセスすることができるようになっている。これにより、機械室内に配置された冷媒回路構成部品のメンテナンス性を損なうことなく、電装品ユニットを機械室内に配置することが可能になる。
【０００８】
請求項２に記載の室外ユニットの電装品ユニットは、請求項１において、第２電装品ユニットは、ケーシングの前面又は側面の内側に沿うように配置されている。
この室外ユニットの電装品ユニットでは、第２電装品ユニットがケーシングの前面又は側面の内側に沿うように配置されているため、第２電装品ユニットを機械室内から機械室外へ移動させる作業を容易に行うことができる。
【０００９】
請求項３に記載の室外ユニットの電装品ユニットは、請求項２において、第２電装品ユニットは、ケーシングの外側を向くように縦向きに配置された制御Ｐ板を含んでいる。
この室外ユニットの電装品ユニットでは、第２電装品ユニットが制御Ｐ板を含んでおり、しかも、ケーシングの外側を向くように配置されているため、第２電装品ユニットのメンテナンス等において、第２電装品ユニットを機械室内から機械室外へ移動させることなくアクセスすることができる。
【００１０】
請求項４に記載の室外ユニットの電装品ユニットは、請求項２又は３において、第２電装品ユニットは、機械室の外側に向けて扉状に開閉させることが可能である。
この室外ユニットの電装品ユニットでは、第２電装品ユニットが扉状に開閉できるため、第２電装品ユニットを取り外すことなく、機械室内から機械室外へ移動させることができる。
【００１１】
請求項５に記載の室外ユニットの電装品ユニットは、請求項１〜４のいずれかにおいて、第１電装品ユニットは、機械室の上部に配置されている。
この室外ユニットの電装品ユニットでは、機械室内から機械室外へ移動させることのない第１電装品ユニットを冷媒回路構成部品の少ない機械室の上部に配置することによって、機械室内のスペースを有効利用することができる。
【００１２】
請求項６に記載の室外ユニットの電装品ユニットは、請求項５において、第２電装品ユニットは、第１電装品ユニットの下側に配置されている。
この室外ユニットの電装品ユニットでは、冷媒回路構成部品が多く配置された機械室の中部や下部に機械室内から機械室外へ移動させることが可能な第２電装品ユニットを配置することによって、冷媒回路構成部品のメンテナンス性を確保することができる。
【００１３】
請求項７に記載の室外ユニットの電装品ユニットは、請求項１〜６のいずれかにおいて、第１電装品ユニットは、少なくとも一部が仕切板に沿って配置されており、送風機室内に突出する放熱フィンを有している。
この室外ユニットの電装品ユニットでは、機械室内から機械室外へ移動させることのない第１電装品ユニットに放熱フィンを設けているため、発熱電気部品を第１電装品ユニットに配置することができる。
【００１４】
請求項８に記載の室外ユニットの電装品ユニットは、請求項１〜７のいずれかにおいて、第２電装品ユニットは、第１電装品ユニットよりも重量が小さい。
この室外ユニットの電装品ユニットでは、第２電装品ユニットが第１電装品ユニットよりも重量が小さいため、第２電装品ユニットの機械室内から機械室外への移動が容易となる。
【００１５】
請求項９に記載の空気調和装置の室外ユニットは、略直方体箱状のケーシングの内部が鉛直に延びる仕切板により送風機室と機械室とに分割された構造を有する空気調和装置の室外ユニットであって、機械室に配置された冷媒回路構成部品と、機械室に配置された請求項１〜８のいずれかに記載の室外ユニットの電装品ユニットとを備えている。
この空気調和装置の室外ユニットでは、電装品ユニットが、第１電装品ユニットと第２電装品ユニットとの分割構造にすることによって、電装品ユニットが大型化される場合においても、機械室内の空間を有効に利用して機械室に配置できるようになっており、さらに、第２電装品ユニットのみを機械室内から機械室外に移動させることができるようにすることで、機械室内において第２電装品ユニットの近傍に配置された冷媒回路構成部品にアクセスすることができるようになっている。これにより、機械室内に配置された冷媒回路構成部品のメンテナンス性を損なうことなく、電装品ユニットを機械室内に配置することが可能になる。
【発明の効果】
【００１６】
以上の説明に述べたように、本発明によれば、以下の効果が得られる。
請求項１にかかる発明では、第１電装品ユニットと第２電装品ユニットとの分割構造にすることによって、電装品ユニットが大型化される場合においても、機械室内の空間を有効に利用して機械室に配置できるようにし、さらに、第２電装品ユニットのみを機械室内から機械室外に移動させることができるようにすることで、機械室内において第２電装品ユニットの近傍に配置された冷媒回路構成部品にアクセスすることができるようになっている。これにより、機械室内に配置された冷媒回路構成部品のメンテナンス性を損なうことなく、電装品ユニットを機械室内に配置することが可能になる。
【００１７】
請求項２にかかる発明では、第２電装品ユニットがケーシングの前面又は側面の内側に沿うように配置されているため、第２電装品ユニットを機械室内から機械室外へ移動させる作業を容易に行うことができる。
請求項３にかかる発明では、第２電装品ユニットが制御Ｐ板を含んでおり、しかも、ケーシングの外側を向くように配置されているため、第２電装品ユニットのメンテナンス等において、第２電装品ユニットを機械室内から機械室外へ移動させることなくアクセスすることができる。
【００１８】
請求項４にかかる発明では、第２電装品ユニットが扉状に開閉できるため、第２電装品ユニットを取り外すことなく、機械室内から機械室外へ移動させることができる。
請求項５にかかる発明では、機械室内から機械室外へ移動させることのない第１電装品ユニットを冷媒回路構成部品の少ない機械室の上部に配置することによって、機械室内のスペースを有効利用することができる。
【００１９】
請求項６にかかる発明では、冷媒回路構成部品が多く配置された機械室の中部や下部に機械室内から機械室外へ移動させることが可能な第２電装品ユニットを配置することによって、冷媒回路構成部品のメンテナンス性を確保することができる。
請求項７にかかる発明では、機械室内から機械室外へ移動させることのない第１電装品ユニットに放熱フィンを設けているため、発熱電気部品を第１電装品ユニットに配置することができる。
【００２０】
請求項８にかかる発明では、第２電装品ユニットが第１電装品ユニットよりも重量が小さいため、第２電装品ユニットの機械室内から機械室外への移動が容易となる。
請求項９にかかる発明では、電装品ユニットが、第１電装品ユニットと第２電装品ユニットとの分割構造にすることによって、電装品ユニットが大型化される場合においても、機械室内の空間を有効に利用して機械室に配置できるようになっており、さらに、第２電装品ユニットのみを機械室内から機械室外に移動させることができるようにすることで、機械室内において第２電装品ユニットの近傍に配置された冷媒回路構成部品にアクセスすることができるようになっている。これにより、機械室内に配置された冷媒回路構成部品のメンテナンス性を損なうことなく、電装品ユニットを機械室内に配置することが可能になる。
【発明を実施するための最良の形態】
【００２１】
以下、本発明にかかる室外ユニットの電装品ユニット及び及びそれを備えた空気調和装置の室外ユニットの実施形態について、図面に基づいて説明する。
（１）室外ユニットの全体構造
図１は、本発明にかかる室外ユニットの電装品ユニット及び及びそれを備えた空気調和装置の室外ユニットの一実施形態が採用された室外ユニット１を示す斜視図（ユニットケーシングの右前板、天板、ファングリル及び室外ファンを取り除いて図示）である。また、図２は、図１の室外ユニット１から左前板２２、左側板２３、右側板２４及び熱交換器３１を除いて示した図である。図３は、図２の室外ユニットを左側面側から見た斜視図である。この室外ユニット１は、空調室外に設置されており、略直方体箱状のユニットケーシング２の内部が鉛直に延びる仕切板２５及び熱交換器３１の管板２６により送風機室Ｓ1と機械室Ｓ2とに分割されたトランク型の構造を有するものである。この室外ユニット１は、空調室内に配置される室内ユニット（図示せず）に冷媒連絡配管（図示せず）を介して接続されている。
【００２２】
室外ユニット１は、主に、略箱状のユニットケーシング２と、室外ファン（図示せず）と、熱交換器３１、圧縮機３２やレシーバ３３等の機器、弁及び配管等の部材を含み冷媒回路を構成する冷媒回路構成部品３と、室外ユニット１の運転制御を行う電装品ユニット５とを備えている。尚、本実施形態の室外ユニット１では、複数の室内ユニットに接続してマルチ式の空気調和装置として使用できるようにするために、液溜容器としてのレシーバ３３の容量を大きくするようにしている。具体的には、レシーバ３３の高さ寸法を大きくすることによって、レシーバ３３の容量を大きくするようにしている。また、電装品ユニット５についても、マルチ式の空気調和装置として使用するために必要な新たな制御機能や伝送機能を追加しなければならなくなるため、電装品ユニット５自体が大型化している。
【００２３】
＜ユニットケーシング＞
ユニットケーシング２は、主に、底板２１と、天板（図示せず）と、左前板２２と、左側板２３と、右前板（図示せず）と、右側板２４と、仕切板２５と、管板２６とを備えている。
底板２１は、ユニットケーシング２の下面部分を構成する横長の略長方形状の金属製の板状部材である。底板２１の周縁部は、上向きに折り曲げられている。底板２１の下面には、現地据付面に固定される２つの固定脚２１ａが設けられている。
【００２４】
天板は、室外ユニット１の上面部分を構成する横長の略長方形状の金属製の板状部材である。
左前板２２は、主に、ユニットケーシング２の左前面部分を構成する金属製の板状部材であり、その下部が底板２１にネジ等により固定されている。左前板２２には、室外ファンによってユニットケーシング２の背面側及び左側面側から内部に取り込まれた空気を外部に吹き出すための吹出口２２ａが設けられている。吹出口２２ａは、本実施形態において、上下に並んで２つ設けられている。また、各吹出口２２ａには、ファングリル（図示せず）が設けられている。
【００２５】
左側板２３は、主に、ユニットケーシング２の左側面部分を構成する金属製の板状部材であり、その下部が底板２１にネジ等により固定されている。この左側板は、室外ファンによってユニットケーシング２内に吸入される空気の吸入口としても機能できるようになっている。
右前板は、主に、ユニットケーシング２の右前面部分及び右側面の前側部分を構成する金属製の板状部材であり、その下部が底板２１にネジ等により固定されている。また、右前板は、その左側部が左前板２３の右側部にネジ等により固定されている。
【００２６】
右側板２４は、主に、ユニットケーシング２の右側面の後側部分及び背面の右側部分を構成する金属製の板状部材であり、その下部が底板２１にネジ等により固定されている。尚、本実施形態において、右側板２４は、その角部の下部が切り欠かれており、図示しない別の板状部材や右前板によって、その切り欠き部分を覆うことができるようになっている。
【００２７】
仕切板２５は、底板２１に対して鉛直に延びる金属製の板状部材であり、ユニットケーシング２の内部空間を左右２つの空間に仕切るように配置されている。仕切板２５は、その下部が底板２１にネジ等により固定されている。また、左前板２２の右側部は、仕切板２５のユニットケーシング前面側の端部にネジ等により固定されている。
管板２６は、ユニットケーシング２の左側面から背面に沿うように配置された略Ｌ字形状の熱交換器３１の背面側の端面に対応するように設けられた金属製の板状部材であり、その下部が底板２１にネジ等により固定されている。そして、管板２６のユニットケーシング前面側の端部と仕切板２５のユニットケーシング背面側の端部とは、互いにネジ等により固定されている。また、右側板２４の背面側の端部は、管板２６のユニットケーシング背面側の端部にネジ等により固定されている。
【００２８】
このように、ユニットケーシング２は、その内部空間が鉛直に延びる仕切板２５及び熱交換器３１の管板２６により送風機室Ｓ1と機械室Ｓ2とに分割されている。より具体的には、送風機室Ｓ1は、底板２１と、天板と、左前板２２と、左側板２３と、仕切板２５と、管板２６とによって囲まれた空間であり、送風ファンや熱交換器３１が配置されている。機械室Ｓ2は、底板２１と、天板と、右前板と、右側板２４と、仕切板２５と、管板２６とによって囲まれた空間であり、圧縮機３２やレシーバ３３等の機器、弁及び配管等の部材を含み冷媒回路を構成する冷媒回路構成部品３（但し、熱交換器３１を除く）と、電装品ユニット５とが配置されている。このユニットケーシング２では、図１に示されるように、右前板を取り外すことによって、機械室Ｓ2の内部が見えるようになっている。
【００２９】
＜室外ファン＞
室外ファンは、複数の翼を有するプロペラファンであり、送風機室Ｓ1内の熱交換器３１の前面側に配置されている。この室外ファンを回転駆動すると、ユニットケーシング２の背面及び左側面を通じて内部に空気が取り込まれて、熱交換器３１を通過した後、左前板２２の吹出口２２ａからユニットケーシング２の外部へ空気が吹き出されるようになっている。
【００３０】
＜冷媒回路構成部品＞
冷媒回路構成部品３は、図４に示されるように、熱交換器３１、圧縮機３２、レシーバ３３、四路切換弁３４、電動膨張弁３５、油分離器３６及び閉鎖弁３７、３８等を備えている。ここで、図４は、図２の室外ユニットのＡ矢視図（但し、熱交換器を図示するとともに、電装品ユニットを取り除いて図示）である。
【００３１】
熱交換器３１は、送風機室Ｓ1に配置されており、室外ファンによってユニットケーシング２内に取り込まれた空気との間で熱交換を行う。熱交換器３１は、ユニットケーシング２の左側面から背面に沿うように配置された略Ｌ字形状の熱交換器である。
圧縮機３２は、機械室Ｓ2下部の略中央の位置に配置されており、底板２１に支持されている。圧縮機３２は、冷媒回路内を流れる低圧のガス冷媒を圧縮して昇圧するための機器である。
【００３２】
レシーバ３３は、機械室Ｓ2の右側板２４の角部近傍の位置に配置されており、その下部がレシーバ取付板４１を介して底板２１により支持され、その側部がレシーバ当て板４３を介して管板２６及び右側板２４によって支持されている。レシーバ３３は、冷媒回路内を流れる冷媒を溜めるために設けられており、本実施形態において、縦長の略円筒形状の容器である。このレシーバ３３の上側には、電装品ユニット５の上部電装品ユニット５１（後述）が配置される空間Ｓ3が設けられている。また、レシーバ３３の下側には、閉鎖弁３７、３８に接続される冷媒連絡配管をユニットケーシング２の背面側から取り出すための空間Ｓ6（配管配置空間）が設けられている。
【００３３】
四路切換弁３４は、機械室Ｓ2の上下方向及び左右方向ともに略中央の位置に配置されている。四路切換弁３４は、冷房運転及び暖房運転の切換に応じて冷媒回路内を流れる冷媒の向きを変更するための弁である。
電動膨張弁３５は、機械室Ｓ2内において四路切換弁３４の右下側に配置されている。電動膨張弁３５は、冷媒回路内を流れる高圧の液冷媒の減圧操作及び流量調節を行うための弁である。
【００３４】
油分離器３６は、機械室Ｓ2内において四路切換弁３４の左側に配置されている。油分離器３６は、圧縮機３２の吐出側に接続されており、圧縮機３２から吐出される高圧のガス冷媒に混入する冷凍機油をガス冷媒中から分離して圧縮機３２の吸入側に戻すための機器である。
閉鎖弁３７、３８は、本実施形態の室外ユニット１においては、ユニットケーシング２の機械室Ｓ2内において右前板の近傍に配置されている。具体的には、閉鎖弁３７、３８は、右前板の角部近傍の位置、すなわち、レシーバ３３の前側に配置されている。そして、本実施形態の室外ユニット１では、冷媒連絡配管がユニットケーシング２内において、閉鎖弁３７、３８に接続されるようになっている。また、閉鎖弁３７、３７の上側には、右前板の内面に沿うように、空間Ｓ4が設けられており、電装品ユニット５の下部電装品ユニット５２（後述）が配置されている。さらに、閉鎖弁３７、３８の下側には、閉鎖弁３７、３８に接続された冷媒連絡配管をユニットケーシング２内から前面側、底面側及び側面側から取り出すための空間Ｓ5が設けられている。
【００３５】
（２）電装品ユニット
電装品ユニット５は、運転制御を行うためのマイコン等を含む制御Ｐ板やインバータ等の各種電気部品を備えている。本実施形態において、電装品ユニット５は、主に、機械室Ｓ2の上部の空間Ｓ3に配置された上部電装品ユニット５１（第１電装品ユニット）と、機械室Ｓ2の右前板の内面に沿うように形成された空間Ｓ4に配置された下部電装品ユニット５２（第２電装品ユニット）とから構成されている。しかも、下部電装品ユニット５２は、機械室Ｓ2内に上部電装品ユニット５１が配置された状態において、少なくとも一部が機械室Ｓ2内から機械室Ｓ2外に移動可能である。このように、電装品ユニット５では、上部電装品ユニット５１と下部電装品ユニットとの分割構造にすることによって、電装品ユニット５が大型化される場合においても、機械室Ｓ2内の空間を有効に利用して機械室Ｓ2に配置できるようになっている。また、この電装品ユニット５では、下部電装品ユニット５２のみを機械室Ｓ2内から機械室Ｓ2外に移動させることができるようにすることで、機械Ｓ2内において下部電装品ユニット５２の近傍に配置された冷媒回路構成部品３にユニットケーシング２の前面側からアクセスすることができるようになっている。このように、機械室Ｓ2内に配置された冷媒回路構成部品３のメンテナンス性を損なうことなく、電装品ユニット５が機械室Ｓ2内に配置されている。
【００３６】
上部電装品ユニット５１は、主に、インバータ回路やリアクタ等の発熱量の大きな発熱電気部品を有している。上部電装品ユニット５１は、主に、図１〜図３に示されるように、右前板の内面に沿って配置される第１上部基板５１ａと、仕切板２５に沿って配置される第２上部基板５１ｂとから構成されており、互いがステー５１ｃによって固定されている。また、第２上部基板５１ｂの仕切板２５側の面には、発熱電気部品の冷却を促進するための複数の放熱フィン５１ｄが設けられており、仕切板２５の開口を貫通して送風機室Ｓ1内に向かって突出している。
【００３７】
下部電装品ユニット５２は、主に、マイコン等を含む制御Ｐ板のような発熱量の小さな電気部品を有している。下部電装品ユニット５２は、制御Ｐ板が右前板側、すなわち、ユニットケーシング２の前面側を向くように縦向きに配置されている。これにより、下部電装品ユニット５２のメンテナンス等において、下部電装品ユニット５２を機械室Ｓ2内から機械室Ｓ2外へ移動させることなくアクセスすることができるようになっている。そして、下部電装品ユニット５２は、機械室Ｓ2の外側に向けて扉状に開閉させることが可能である。具体的には、仕切板２５の下部電装品ユニット５２の左側端面に対応する位置には、上面視がＶ字形状のユニット支持板２７が２つの爪部２７ａによって係止されている。このユニット支持板２７の下部電装品ユニット５２側の面には、縦長の２つのスリット孔２７ｂが形成されている。下部電装品ユニット５２の左側端面には、スリット孔２７ｂに係合可能な２つの爪部５２ａが形成されており、下部電装品ユニット５２がユニット支持板２７を回転軸として扉状に開閉可能なヒンジ構造を構成している。このように、この電装品ユニット５では、下部電装品ユニット５２が扉状に開閉できるため、下部電装品ユニット５２全体を取り外すことなく、機械室Ｓ2内から機械室Ｓ2外へ移動させることができるようになっている。これにより、下部電装品ユニット５２は、四路切換弁３４や電動膨張弁３５等の冷媒回路構成部品３が多く配置された機械室Ｓ3の中部や下部に配置されているのにもかかわらず、図５に示されるように、下部電装品ユニット５２を矢印Ｂの方向に扉状に開くことによって、冷媒回路構成部品３にアクセスすることができるようになり、冷媒回路構成部品３のメンテナンスを容易に行うことができるようになっている。しかも、制御Ｐ板を構成する電気部品は、インバータやリアクタ等の発熱電気部品に比べて重量が小さいため、制御Ｐ板を主として含む下部電装品ユニット５２は、発熱電気部品を含む上部電装品ユニット５１よりも重量が小さくなっている。このため、下部電装品ユニット５２の開閉動作を容易に行うことができる。
【００３８】
（３）電装品ユニット及びそれを備えた室外ユニットの特徴
本実施形態の電装品ユニット５及びそれを備えた室外ユニット１には、以下のような特徴がある。
（Ａ）
本実施形態の電装品ユニット５では、上部電装品ユニット５１と下部電装品ユニット５２との分割構造にすることによって、電装品ユニット５が大型化される場合においても、機械室Ｓ2内の空間を有効に利用して機械室Ｓ2に配置できるようにし、さらに、下部電装品ユニット５２のみを機械室Ｓ2内から機械室Ｓ2外に移動させることができるようにすることで、機械室Ｓ2内において下部電装品ユニット５２の近傍に配置された冷媒回路構成部品３にアクセスすることができるようになっている。
【００３９】
これにより、機械室Ｓ2内に配置された冷媒回路構成部品３のメンテナンス性を損なうことなく、電装品ユニット５を機械室Ｓ2内に配置することが可能になっている。
また、電装品ユニット５を分割構造とすることによって、上部電装品ユニット５１単体及び下部電装品ユニット５２単体の重量や外形サイズを小さくすることができるため、これらの上部電装品ユニット５１及び下部電装品ユニット５２の生産性やユニットケーシング２に電装品ユニット５を組み込む際の作業性も向上している。
【００４０】
（Ｂ）
電装品ユニット５では、機械室Ｓ2内から機械室Ｓ2外へ移動させることのない上部電装品ユニット５１を冷媒回路構成部品３の少ない機械室Ｓ2の上部（具体的には、空間Ｓ3）に配置することによって、機械室Ｓ2内のスペースが有効利用されている。しかも、機械室Ｓ2内から機械室Ｓ2外へ移動させることのない上部電装品ユニット５１（具体的には、第１上部基板５１ａ）に放熱フィン５１ｄを設け、インバータ回路やリアクタ等の発熱電気部品を上部電装品ユニット５１に配置するようにしているため、これらの発熱電気部品の冷却も効率よく行われるようになっている。
【００４１】
（Ｃ）
上部電装品ユニット５１を冷媒回路構成部品３の少ない機械室Ｓ2の上部（具体的には、空間Ｓ3）に配置するのに伴い、冷媒回路構成部品３が多く配置された機械室Ｓ2の中部や下部に機械室Ｓ2内から機械室Ｓ2外へ移動させることが可能な下部電装品ユニット５２を配置するようにしているため、冷媒回路構成部品３のメンテナンス性が確保されている。
【００４２】
具体的には、下部電装品ユニット５２は、機械室Ｓ2の外側に向けて扉状に開閉させることが可能になっており、下部電装品ユニット５２を取り外すことなく、機械室Ｓ2内から機械室Ｓ2外へ移動させることができるようになっている。また、下部電装品ユニット５２は、ユニットケーシング２の前面（具体的には、右前板）の内側に沿うように配置されているため、機械室Ｓ2内から機械室Ｓ2外へ移動させる作業を容易に行うことができるようになっている。さらに、上部電装品ユニット５１に比べて、機械室Ｓ2内から機械室Ｓ2外へ移動させなければならない下部電装品ユニット５２の重量が小さいるため、下部電装品ユニット５２の機械室Ｓ2内から機械室Ｓ2外への移動が容易になっている。しかも、下部電装品ユニット５２は、ユニットケーシング２の前面側を向くように縦向きに配置された制御Ｐ板を含んでいるため、下部電装品ユニット５２自体をメンテナンス等する際には、下部電装品ユニット５２を機械室Ｓ2内から機械室Ｓ2外へ移動させることなくアクセスすることができるようになっている。
【００４３】
（４）他の実施形態
以上、本発明の実施形態について図面に基づいて説明したが、具体的な構成は、これらの実施形態に限られるものではなく、発明の要旨を逸脱しない範囲で変更可能である。
（Ａ）
下部電装品ユニットを開閉可能にするための具体的な構造は、前記実施形態に限定されず、他の構造であってもよい。
【００４４】
（Ｂ）
前記実施形態においては、室外ユニットがユニットケーシングの前面を開放することによって内部を見ることができるようになっている構造であるため、下部電装品ユニットが前板の内面に沿って配置されているが、室外ユニットが側面を開放することによって内部を見ることができるようになっている構造の場合には、側板の内面に沿って配置された構成であってもよい。
【００４５】
（Ｃ）
前記実施形態においては、下部電装品ユニット全体が扉状に開くことができるようになっているが、冷媒回路構成部品のメンテナンス性が確保できるようになっていれば、下部電装品ユニットの一部のみが扉状に開くような構成であってもよい。
【産業上の利用可能性】
【００４６】
本発明を利用すれば、略直方体箱状のケーシングの内部が鉛直に延びる仕切板により送風機室と機械室とに分割された構造を有する空気調和装置の室外ユニットにおいて、機能が追加されて大型化しなければならない場合であっても、機械室内に配置された冷媒回路構成部品のメンテナンス性を損なうことなく、機械室内に配置することが可能な構造を有する電装品ユニットを提供することができる。
【図面の簡単な説明】
【００４７】
【図１】本発明にかかる室外ユニットの電装品ユニット及びそれを備えた空気調和装置の室外ユニットの一実施形態が採用された室外ユニットを示す斜視図（ユニットケーシングの右前板、天板、ファングリル及び室外ファンを取り除いて図示）である。
【図２】図１の室外ユニットから左前板、左側板、右側板及び熱交換器を除いて示した図である。
【図３】図２の室外ユニットを左側面側から見た斜視図である。
【図４】図２の室外ユニットのＡ矢視図（但し、熱交換器を図示するとともに、電装品ユニットを取り除いて図示）である。
【図５】下部電装品ユニットを扉状に開いた状態を示す斜視図である。
【符号の説明】
【００４８】
１  室外ユニット
２  ユニットケーシング
３  冷媒回路構成部品
５  電装品ユニット
２５  仕切板
５１  上部電装品ユニット
５１ｄ  放熱フィン
５２  下部電装品ユニット
Ｓ1  送風機室
Ｓ2  熱交換器室
【図１】
2005076925.tif 000003
【図２】
2005076925.tif 000004
【図３】
2005076925.tif 000005
【図４】
2005076925.tif 000006
【図５】
2005076925.tif 000007